(57)【要約】      （修正有）【課題】内部汚染物質をソレノイドから排出することができる排気アセンブリを提供する。【解決手段】排気アセンブリは、ガスケットと排気口支持体との間に配置される通気膜を含む。支持体は可変の直径を有することができる。排気アセンブリは、ソレノイドの嵌め蓋を介してソレノイドに装着され、嵌め蓋はガスケットの開口に位置合わせされる排気口を含み、且つガスケットを捕捉する段つき穴を含む。排気アセンブリは、通気膜を通してソレノイドから汚染物質を排出することができる。排気アセンブリはまた、射出形成を用いることなく、通気膜の近傍から汚染物質がソレノイドに侵入するのを防止する。【選択図】図１
2006086518.tif 000002
【特許請求の範囲】
【請求項１】
可動コアの周りに巻き付く導電体を含むハウジング、
ハウジングに接続され、排気開口及び段つき穴を含む嵌め蓋、及び
内部汚染物質をハウジングから排出することができる排気アセンブリ
を備えたソレノイドアセンブリであって、排気アセンブリが、
排気開口に位置合わせされ、且つ嵌め蓋の段つき穴に捕捉される開口を有するガスケット、
複数の支持体セクションを含む排気口支持体、及び
ガスケットと支持体との間に配置され、内部汚染物質がハウジングの内部からガスケットの開口を通って外部大気に透過することを可能にする通気膜
を含み、排気口支持体セクションが、これらのセクションが一緒になって通気膜の周縁枠を形成し、且つ通気膜の排気通路となるような形状を有する、ソレノイドアセンブリ。
【請求項２】
ガスケットが円形のゴム製ガスケットを含む、請求項１記載のソレノイドアセンブリ。
【請求項３】
通気膜が微多孔質の通気膜を含む、請求項１記載のソレノイドアセンブリ。
【請求項４】
排気口支持体の支持体セクションがＴ字形である、請求項１記載のソレノイドアセンブリ。
【請求項５】
排気口支持体がシリンダー形であり、排気口支持体の中心軸に沿った圧縮力に応答して支持体セクションが屈曲することにより、支持体セクションの直径が変化する、請求項１記載のソレノイドアセンブリ。
【請求項６】
可変の直径は、ガスケットの内径よりも大きく、且つ段つき穴の内径よりも大きい第１の直径から、ガスケットの内径よりも小さい第２の直径に変化する、請求項５記載のソレノイドアセンブリ。
【請求項７】
排気アセンブリのガスケットが嵌め蓋の段つき穴に捕捉されることにより、通気膜の近傍から外部汚染物質がソレノイドハウジングへ侵入することが防止される、請求項１記載のソレノイドアセンブリ。
【請求項８】
排気アセンブリのガスケットが、射出成形を用いることなく嵌め蓋の段つき穴に捕捉されることにより、通気膜の近傍から外部汚染物質がソレノイドハウジングへ侵入することが防止される、請求項７記載のソレノイドアセンブリ。
【請求項９】
電気機械式ソレノイドに用いる排気アセンブリであって、
ソレノイドの蓋の排気開口に位置合わせされる開口を有し、蓋の段つき穴を介してソレノイドに装着される構成のガスケット、
複数の支持体セクションを含む排気口支持体、及び
ガスケットと排気口支持体との間に配置され、汚染物質がソレノイドの内部からガスケットの開口を通って外部大気へと透過することを可能にする通気膜
を含み、排気口支持体セクションは、これらのセクションが一緒になって通気膜の周縁枠を形成し、且つ通気膜の排気通路となるような形状を有する、排気アセンブリ。
【請求項１０】
ガスケットが円形のゴム製ガスケットを含む、請求項９記載の排気アセンブリ。
【請求項１１】
通気膜が微多孔質の通気膜を含む、請求項９記載の排気アセンブリ。
【請求項１２】
排気口支持体の支持体セクションがＴ字形である、請求項９記載の排気アセンブリ。
【請求項１３】
排気口支持体は可変の直径を有する排気口支持体を含む、請求項９記載の排気アセンブリ。
【請求項１４】
排気口支持体の中心軸に沿った圧縮力に応答して排気口支持体の支持体セクションが屈曲することにより、支持体セクションの直径が変化する、請求項１３記載の排気アセンブリ。
【請求項１５】
可変の直径を有する排気口支持体が、ガスケットの内径よりも大きく、且つ段つき穴の内径よりも大きい第１の直径からガスケットの内径よりも小さい第２の直径に変化する、請求項１３記載の排気アセンブリ。
【請求項１６】
排気アセンブリのガスケットが段つき穴に捕捉されることにより、通気膜の近傍から外部汚染物質がソレノイドへ侵入することが防止される、請求項９記載の排気アセンブリ。
【請求項１７】
排気アセンブリのガスケットが、射出成形を用いることなく段つき穴に捕捉されることにより、通気膜の近傍から外部汚染物質がソレノイドへ侵入することが防止される、請求項１６記載の排気アセンブリ。
【請求項１８】
汚染物質をソレノイドの内部から外部大気に透過させることができる排気手段、
排気手段をソレノイドに固定し、排気手段の近傍から外部汚染物質がソレノイドに侵入するのを防止する密閉手段、及び
排気手段を支持し、且つソレノイドに装着されると排気手段に至る内部排気通路となる支持手段
を備える排気アセンブリ。
【請求項１９】
更に、支持手段の直径を変える手段を備える、請求項１８記載の排気アセンブリ。
【請求項２０】
直径を変える手段は複数の可動支持手段を含む、請求項１９記載の排気アセンブリ。
【請求項２１】
直径を変える手段は、密閉手段の内径よりも大きく、且つ密閉手段を嵌め込むソレノイドの段つき穴の内径よりも大きい第１の直径から密閉手段の内径よりも小さい第２の直径に直径を変化させる、請求項１９記載の排気アセンブリ。
【発明の詳細な説明】
【技術分野】
【０００１】
本発明は概して電気機械式システムに関し、特に電気機械式ソレノイドに使用するのに適する排気アセンブリに関する。一実施例において、本発明の方法及びシステムを利用することにより、ソレノイド内部から水蒸気及びその他大気ガス等の汚染物質を取り除き、従ってソレノイドの内部表面上の濃縮汚染物を取り除くことができる。
【背景技術】
【０００２】
電気機械式ソレノイドは多くの用途に使用される。ソレノイドはインダクタであり、普通、コイルによって取り囲まれるシリンダー状コア又はドーナツ形コアにより構成される。コアは、コイルを流れる電流によって生じる磁界に応答して軸方向に変位する。コアは、磁気がコアを完全に通過することができ、エアと対峙する位置にまで吸引される。ソレノイドは、取り付け装置を線形動作させるために一般的に使用される。ソレノイドは、例えば自動車、資材運搬、船舶、発電機、及び芝生／庭園用途に使用することができる火花点火及び圧縮点火式エンジン始動モータに広く使用される。
【０００３】
ソレノイドは、その構造及び動作の点で、外部汚染物質の侵入による誤動作を起こし易い。更に、水蒸気及び他の大気ガスのような内部汚染物質は、そのまま蓄積させておくとソレノイドの動作に悪影響を及ぼす。例えば、ソレノイドの内部表面の上に水が凝縮すると、ソレノイドの内部部品が酸化する。凝縮によって内部部品の上に氷も形成される。従って、ソレノイドは、外部汚染物質からの十分な保護を実現すると同時に、内部汚染物質の蓄積量を最小化するように設計する必要がある。
【０００４】
汚染物質による悪影響に対処するために、従来のソレノイドの多くは、境界部品の周りにエアギャップを含む。更に、従来のソレノイドは小さな直径の吸引チューブ、及びソレノイド部品の外壁に成形加工された金属除去排気口を挿入物として含む場合がある。排気口の近傍から液体が侵入するのを防止し、更に排気口が外れるのを防止するために、射出成形が使用されている。
【特許文献１】米国特許第６６３３０９９号
【発明の開示】
【発明が解決しようとする課題】
【０００５】
従来のソレノイド構成は幾つかの点で不具合を有する。通常のソレノイド構成は、内部蒸気を逃がす効果的で柔軟性のある手段を提供しない。排水管は、例えばソレノイドを外部汚染物質の侵入に対して脆弱にしてしまう。排水管はまた、ソレノイドの底部に位置する場合にのみ効果的である場合が多いという点で限界がある。更に、従来の構成では、蒸気の搬送量を効果的に制御することができず、且つ外部汚染物質の侵入を防止することができない。更に、インサート成形はコストが非常に高く、且つ限られた排気口材料にしか適さない。
【課題を解決するための手段】
【０００６】
本発明による製造方法、システム、及び製品は、上述の問題及び／又は他の問題を解決することができる。本発明の実施形態は、内部汚染物質をソレノイドから効果的に排出することができるようにすることによりソレノイドを改良する。本発明の実施形態は、ソレノイドから蒸気を排出することができ、且つ排気口の近傍からの外部汚染物質の侵入を防止できる排気口を提供することができる。
【発明を実施するための最良の形態】
【０００７】
本発明によれば、排気アセンブリは電気機械式ソレノイドに使用することができる。排気アセンブリは、ソレノイドの蓋の排気開口に位置合わせされる開口を有するガスケットを含むことができる。ガスケットはソレノイドの蓋の段つき穴を介してソレノイドに装着することができる。排気アセンブリはまた、複数の支持体セクションを含むことができる排気口支持体を含むことができる。通気膜をガスケットと排気口支持体との間に配置することにより、汚染物質がソレノイドの内部からガスケットの開口を透過して外部大気に達することができる。
【０００８】
本発明によれば、排気口支持体は通気膜を支持することができ、且つソレノイドに装着されると通気膜に至る内部排気通路ともなる。排気口支持体は複数の排気口支持体セクションを備えることができ、これらのセクションが一緒になって通気膜の周縁枠を形成し、且つ排気通路となるような形状を有する。更に、排気口支持体は可変の直径を有する支持体を含むことができ、この支持体は複数の可動支持体セクションを備える。可変の直径を有する排気口支持体は、ガスケットの内径よりも大きく、且つガスケットを嵌め込む段つき穴の内径よりも大きい第１の直径からガスケットの内径よりも小さい第２の直径に変化することができる。
【０００９】
これまでの背景技術の説明及び要約は、包括的なものではなく、この技術分野の当業者を対象に、請求の範囲に定義される本発明による後述の実施形態に対する理解の援助となることを目的としている。更に、上述の背景技術及び発明の開示の部分は、ここに特許請求される発明に特定の制限を課すものではない。
【実施例】
【００１０】
添付の図面は本発明による実施形態の特徴を示し、後述の対応する説明と共に本発明に関する原理の説明を容易にするものである。
後述では、添付の図を参照し、これらの図では、特に別途説明がない限り、異なる図における同じ番号は同様の構成要素を指す。後述に示される実施形態は、ここに特許請求される発明による全ての実施形態を表わしている訳ではない。そうではなく、これらは、本発明によるシステム及び方法の幾つかの実施例であるに過ぎない。他の実施形態が使用可能であり、且つ構造上の変更及びプロセス上の変更を本発明の技術範囲から逸脱しない範囲において加え得る。
【００１１】
図１は本発明による例示的ソレノイドアセンブリ１００を示す図である。ソレノイドアセンブリ１００はソレノイド１１０及び排気アセンブリ１５０を含むことができる。ソレノイド１１０に取り付けられると、排気アセンブリ１５０は内部汚染物質（例えば水蒸気）をソレノイド１１０から排出することができ、同時に外部汚染物質がソレノイド１１０に侵入するのを防止することができる。
【００１２】
ソレノイド１１０は、ハウジング１２０に固定される一つ以上の端子又はコンタクト（例えば、端子１１２、１１４、及び１１６）を含むことができる。これらの端子は、例えばモータ、電圧源、及びスイッチの電気接続ポイントとなる。ハウジング１２０は、ソレノイド１１０のフレームとなり、機械加工された真ちゅう、青銅、サーモプラスト、ステンレス鋼、ニッケルメッキされた真ちゅう、及びニッケルメッキされた青銅等の種々の材料により作製することができる。ハウジング１２０内では、ソレノイド１１０は一つ以上の送電コイル（例えば、プルインコイル１３０及びホールドインコイル１３５）を含むことができる。これらのコイルは、この技術分野では公知のいずれの導電材料を含むこともできる。ソレノイド１１０は、シリンダー状ケーシング又はドーナツ形ケーシング１４５の内部に位置するアーマチュア又はプランジャー１４０を含むこともでき、このケーシングはコイルに電圧が印加されると軸方向にシフトする。プランジャー１４０は、ソレノイドを使用する特定のデバイス、例えばスタータアセンブリと係合するように構成することができる。プランジャー１４０は、この技術分野で公知のあらゆる適切な強磁性材料、例えば鉄を含むこともできる。プランジャー１４０及びケーシング１４５は、これらの２つの部品の間の摩擦が最小になるように構成される。一実施例では、ガラス入りナイロン及び真ちゅうをケーシング１４５に使用し、プランジャー１４０を低摩擦のメッキ材料（例えばニッケル）でコーティングすることができる。ソレノイド１１０は嵌め蓋１６０を含むこともできる。嵌め蓋１６０は、排気アセンブリ１５０に対応する排気開口１７０を含むことができる。本発明によれば、嵌め蓋１６０によって排気アセンブリ１５０をソレノイド１１０に固定することができる。ソレノイド１１０の部品の数は本発明では重要でなく、部品構成の数を他の数に変えることができる。また、ソレノイド１１０から、図示した部品の一部を排除することができ、及び／又は種々のシール、バネ、バルブ、ピンなどのようなこの技術分野において公知の追加部品又は種々の部品を含むことができる。更に、ソレノイド及び関連スタータモータは図６に示すように従来の構成で配置することができる、又は同軸アセンブリとすることができ、この例は特許文献１に示されている。
【００１３】
排気アセンブリ１５０によって、内部汚染物質（例えば水蒸気）をソレノイド１１０から排出することができる。排気アセンブリ１５０はまた、インサート成形を使用することなく、外部汚染物質が排気アセンブリ１５０の近傍からソレノイド１１０に侵入するのを防止することもできる。図２は、本発明による排気アセンブリ１５０の例示的実施形態を示している。図示された実施形態では、排気アセンブリ１５０は排気口２１０、ガスケット２２０、及び支持体２３０を備えることができる。図３は排気アセンブリ１５０の断面図である。排気アセンブリ１５０の特定の形状及びサイズは、アセンブリが使用され用途に必要な条件に基づいて選択することができる。一実施例として、排気アセンブリ１５０は長さ１４．９ｍｍ、直径１２．０ｍｍとすることができる。
【００１４】
排気口２１０は、水蒸気及び他の大気ガスが透過できる膜とすることができる。本発明によれば、排気口２１０は内部汚染物質をソレノイド１１０から排出させることができるフィルタとして機能することができる。排気口２１０は、金属繊維等のあらゆる適切な材料からなる微多孔質膜を含むことができる。例えば、排気口２１０は、Ｐｏｒｖａｉｒ  ｐｌｃ社製の焼結金属繊維材により作製することができる。排気口２１０の特定の材料、物理的サイズ及び形状、及び孔サイズは、特定の用途に所望の蒸気輸送量及び液体侵入に対する防止性能に基づいて選択することができる。特定の一構成では、排気口２１０は、直径９．８７ｍｍ及び厚さ０．３４ｍｍの円形とすることができる。更に、排気口２１０は、例えば、排気口を挟んだ２５インチ水（６．２２ＫＰａ）の圧力差を有し、最小５リットル／分及び最大２５リットル／分の空気流量、維持することができる。排気口２１０は、例えば垂直方向の２０インチ（５０８ｍｍ）の水柱の静水圧に、排気口２１０又はその周辺からのリークを生じることなく１５分間耐えることができるように構成することもできる。本発明によれば、排気口２１０はガスケット２２０と支持体２３０との間に配置される。
【００１５】
ガスケット２２０は排気口２１０を固定し、更に外部汚染物質（例えば液体水）がソレノイド１１０に侵入するのを防止するように機能することができる。一部の実施形態では、ガスケット２２０は熱可塑性エラストマー（ＴＰＥ）材料により作製される。しかしながら、ガスケット２２０の特定の材料及び物理的寸法は、排気口２１０及び他の用途条件に基づいて選択することができる。このような条件には、圧縮及び密封特性、形状保持特性、引裂耐性、摩擦係数などが含まれる。特定の一実施形態では、ガスケット２２０は円形とし、Ｓａｎｔｏｐｒｅｎｅ（登録商標）製のゴムにより作製することができ、直径１２．０ｍｍ、壁厚１．８５ｍｍとすることができる。
【００１６】
図２に示すように、ガスケット２２０はその中心に開口を含むことができ、この開口はソレノイド１１０の嵌め蓋１６０の排気開口１７０の位置に合わせる。このガスケット開口は水蒸気及び大気ガスがソレノイドを出て（排気口２１０を通して）外部の大気に達することができる通路となる。本発明によれば、ガスケット２２０は排気アセンブリ２１０をソレノイド１１０の嵌め蓋１６０に固定することができる。
【００１７】
図４は嵌め蓋１６０の例示的実施形態の断面図を示している。例示された実施形態では、嵌め蓋１６０の排気開口１７０は段つき穴４１０を含む。排気開口１７０はガスケット２２０の中心の開口に位置合わせされ、ガスケット２２０に対応する形状を有する。排気開口１７０の段つき穴４１０はガスケット２２０を捕捉し、排気アセンブリ１５０をソレノイド１１０の内部に固定することができる。本発明によれば、段つき穴４１０と、ガスケット２２０を排気開口１７０の内部に向かって押し込む操作とによって、外部汚染物質が排気アセンブリ１５０の排気口２１０近傍からソレノイド１１０に侵入することが、射出成形を使用することなく防止される。
【００１８】
図２及び３に戻ると、排気アセンブリ１５０の支持体２３０は、排気口２１０の支持体又は周縁枠となり、排気アセンブリ１５０全体の構造上の統合性を実現する。支持体２３０は熱可塑性材料により作製することができるが、実施形態及び用途に必要な条件に応じて他の適切な材料を使用することができる。本発明によれば、支持体２３０は可変の直径を有することができる。図５に示すように、支持体２３０は、支持体２３０の直径を変えることができる３つの可動フィンガー又は可撓性フィンガー（５１０、５１２、及び５１４）を含むことができる。これらのフィンガーは支持体２３０を貫通する中心軸から等距離に配置できる。一実施例では、フィンガー５１０、５１２、及び５１４はバネで付勢することができる。フィンガー５１０、５１２、及び５１４は、緩んだ状態で、小さな（例えば２〜３ｍｍ）隙間（５１１、５１３、及び５１５）がフィンガー５１０、５１２、及び５１４の隣接端の間に生じるように配置することができる。３つのフィンガーセクションの各々の端部は、支持体２３０の中心からその周辺に向かって形成されるラインからずれた角度に向くように設けることができる。フィンガー５１０、５１２、及び５１４の上部は周縁枠を形成して排気口２１０を支持することができる。更に、フィンガー５１０、５１２、及び５１４の内部は一つ以上の突出部５３０を含むことができ、これらの突出部は、排気口２１０が、ソレノイド１１０に装着される前に、支持体２３０の内径を滑り落ちることを防ぐ。
【００１９】
支持体２３０の直径を可変とすることにより幾つかの利点が得られる。例えば、固定の直径を有する支持体をガスケット２２０の内径に圧入するときにガスケット２２０の壁が壊れる潜在的問題を排除することができる。更に、フィンガー５１０、５１２、及び５１４がガスケット２２０を外側に引っ張る力によって、出荷及び運搬中に、且つソレノイドに挿入する前に、ガスケットを正規の位置に保持することができる。また、ガスケットを外側に引っ張る力を利用して排気アセンブリ１５０を嵌め蓋１６０に収容し、嵌め蓋１６０がソレノイド１１０に装着されるまで排気アセンブリを正規の位置に保持することができる。更に、支持体２３０は、フィンガー５１０、５１２、及び５１４が、開いている状態又は緩んだ状態で、嵌め蓋１６０の段つき穴４１０の内径よりも大きくなることができるように構成することができる。これによって、ガスケット２２０が正規の位置に配置されていない状態では排気アセンブリ１５０が嵌め蓋１６０に挿入されないことが保証される。
【００２０】
支持体２３０のこれらのフィンガーは図示された「Ｔ」形に限定されず、且つ支持体２３０は図示された数のフィンガーよりも多いか、又は少ないフィンガーを含むことができる。他の適切な可撓性支持構造を本発明に使用することもできる。更に、支持体２３０の可変直径特性を持たない他の適切な剛性支持構造を、本発明の技術範囲から逸脱しない範囲で使用することができる。
【００２１】
排気アセンブリ１５０は例示であり、本発明を限定するものではない。円形及びシリンダー形として示しているが、排気口２１０、ガスケット２２０、及び支持体２３０の形状及びサイズは用途に応じて変えることができる。更に、ガスケット２２０及び支持体２３０は同じ材料により形成することができ、さらには単体部品とすることも可能である。
【００２２】
図６は本発明による例示的システム６００を示している。システム６００は、例えばソレノイドを線形作動に使用する任意の電気機械式システムを表わす。本発明の非限定的実施例として、自動車、資材運搬、船舶、発電機、及び芝生／庭園システム及びサブシステムを挙げることができる。図示された例では、システム６００は、エンジン６１０、電源６２０、及びスタータアセンブリ６３０を備えることができる。図示された部品群は電荷輸送媒体の任意の組合せによって接続することができる。システム６００の部品の数は図示された数に限定されず、且つ本発明に従って部品群の数を変えた構成の他の変形例を使用することができる。更に、実施形態に応じて、システム６００の構成要素は図示された部品群の一部を排除すること、及び／又は図示されていない追加部品郡又は変形部品群を含むか、又はそれらに接続することができる。
【００２３】
エンジン６１０は、例えば自動車、資材運搬機器、船舶、発電機、及び芝生／庭園器具などへの使用に適する火花点火式（例えばガス燃焼）内燃エンジン又は圧縮点火式（例えばディーゼル燃焼）内燃エンジンを含むことができる。電源６２０は、電気エネルギーを保存及び／又は生成する機能を備える任意の機構を含むことができる。電源６２０は、例えば、ＤＣ電圧を生成する直列接続された一つ以上の化学電池、及び／又はウルトラキャパシタを含むことができる。電源６２０は、スターター６３０が必要とする条件に合った大きさの電圧、例えば１２Ｖを供給することができる。スターター６３０は、機械力（例えば回転運動）によりエンジンをクランクする機能を備えるいずれの装置、機構、又はマシーンも含むことができる。スターター６３０は、一構成において、従来の火花点火式スタータモータ又は内燃点火式スタータモータ６４０及びソレノイド６５０を含むことができる。上術のように、ソレノイド６５０及び関連スタータモータ６４０は、図６に示すように従来の構成とすることができるか、又は同軸アセンブリとすることができ、同軸アセンブリの例は特許文献１に示されている。
【００２４】
ソレノイド６５０は、図１に関連して上に記載したソレノイド１１０と同様の構造とすることができる。動作状態では、送電コイルはソレノイド６５０のプランジャー（図示せず）をシフトさせることができ、それにより可動コンタクトが電源６３０及びスタータモータ６４０に接続される固定電気コンタクトと係合する。このようなプランジャーの移動によって、ピニオン６６０がエンジンフライホイール６７０と係合する。
【００２５】
本発明によれば、排気アセンブリ１５０はソレノイド６５０に接続することができる。排気アセンブリ１５０によって、内部汚染物質を排気アセンブリ１５０から排出し、それと同時に外部汚染物質が排気アセンブリ１５０近傍からソレノイド６５０に侵入するのを防止することができる。排気アセンブリ１５０は射出成形を使用することなくこれらの機能を提供することができる。
【００２６】
図７は、本発明による排気アセンブリ１５０を組み立てて装着する例示的方法７００を示すフローチャートである。組み立て前に、フィンガー５１０、５１２、及び５１４をバネ力で開くことにより、排気アセンブリ１５０の支持体２３０を緩めた状態とすることができる。組み立て方法７００は、支持体の軸に沿って支持体２３０に圧力を加え（すなわち支持体を押し込む）、よってフィンガー５１０、５１２、及び５１４を互いに近接させるか、又は接触させる（ステップ７１０）ことから開始する。この時点では、支持体２３０の上部の外径はガスケット２２０の内径よりも短い。次に、排気口２１０をガスケット２２０内に配置する（ステップ７２０）。排気口２１０をガスケット２２０に配置した後、支持体２３０をガスケット２２０に挿入し、フィンガー５１０、５１２、及び５１４に加えていた張力を解放する（ステップ７３０）。フィンガー５１０、５１２、及び５１４が形成する支持体２３０の外周は、張力の解放に応答してバネ力により外側に広がってガスケット２２０及び排気口２１０を正規の位置に固く保持する。
【００２７】
組み立てが終了したら、ソレノイド１１０又は６５０の嵌め蓋１６０に排気アセンブリ１５０を装着することができる（ステップ７４０）。上述したように、支持フィンガーの内側部分の突出部は、排気口２１０が嵌め蓋１６０に固定される前に支持体２３０の内径を通って抜け落ちることを防止することができる。さらに上述のように、開いている状態又は緩んだ状態の支持フィンガーが作る径を、嵌め蓋１６０の段つき穴４１０の内径よりも大きくすることができ、よってガスケット２２０が無い状態で嵌め蓋１６０に排気アセンブリ１５０を挿入することはできない。排気アセンブリを嵌め蓋１６０に装着した後、嵌め蓋をソレノイド１１０に組み込むことができる（ステップ７５０）。
【００２８】
図７は本発明の例示的実施形態に基づいたものである。図７に記載するイベントシーケンスは例示であり、本発明を限定するものではない。従って、他のステップを使用することができ、図７に示す方法に関しても、本発明の技術範囲から逸脱しない範囲において複数のイベントの順番を変えることができる。また、一部のステップを設けず、追加のステップを方法７００に用いることができる。更に、図７の各段階を、本発明の技術範囲から逸脱しない範囲において重複させる、及び／又は変更することができることを理解されたい。
【００２９】
本発明による実施可能な実施形態に関するこれまでの記述は、そのような実施形態の全て、又は上述の実施形態の変形例の全てを包括的に列挙したものではない。上述は一部の実施形態のみに関する記述であって、これは他の実施形態の排除を意図するものではない。当業者であれば、請求の範囲に示す技術範囲から逸脱しない等価物及び代替物を使用して、他の多くの方法で請求の範囲に記載される発明を実施する方法を理解するであろう。更に、上述で特に言及していない限り、実施形態に記載した構成要素はいずれも本発明に必須ではない。
【図面の簡単な説明】
【００３０】
【図１】本発明による例示的ソレノイドアセンブリを示す。
【図２】本発明による例示的排気アセンブリを示す。
【図３】本発明による例示的排気アセンブリの断面図を示す。
【図４】本発明による例示的嵌め蓋の断面図を示す。
【図５】本発明による排気アセンブリの特定の構成を示す。
【図６】本発明を適用することができる例示的システムを示す。
【図７】本発明による例示的方法を示すフローチャートである。
【符号の説明】
【００３１】
１００    ソレノイドアセンブリ
１１０    ソレノイド
１１２、１１４、１１６    端子
１２０    ハウジング
１３０、１３５    コイル
１４０    プランジャー
１４５    ケーシング
１５０    排気アセンブリ
１６０    嵌め蓋
１７０    排気開口
２１０    排気口
２２０    ガスケット
２３０    支持体
４１０    段つき穴
５１０、５１２、５１４    フィンガー
５１１、５１３、５１５    フィンガー間の隙間
５３０    突出部
６００    例示的システム
６１０    エンジン
６２０    電源
６３０    スタータアセンブリ
６４０    スタータモータ
６５０    ソレノイド
６６０    ピニオン
６７０    エンジンフライホイール
【図１】
2006086518.tif 000003
【図２】
2006086518.tif 000004
【図３】
2006086518.tif 000005
【図４】
2006086518.tif 000006
【図５】
2006086518.tif 000007
【図６】
2006086518.tif 000008
【図７】
2006086518.tif 000009
【外国語明細書】
2006086518000001.pdf
2006086518000002.pdf
2006086518000003.pdf
2006086518000004.pdf